(57)【要約】【課題】容易に着脱できてリサイクルに適しており、かつリールテープを確実に固定することができる遊技機用回転リールを提供する。【解決手段】リールドラム22に、円筒部24のほぼ幅方向にわたって配置され、少なくとも一端部がリールドラム22から隔離する方向に移動可能な係止棒61と、前記係止棒61の少なくとも一方の端部を挿入可能な固定孔28とを設け、前記リールテープ23の長さ側の両端部には、前記係止棒61を幅方向に挿通可能な空間を形成するループ状の取り付け部27を設け、前記リールテープ23の取り付け部27に前記係止棒61が挿入された状態で、係止棒61の端部を前記固定孔28に固定することにより、前記リールテープ23を前記リールドラム22に装着可能とした。【選択図】図２
2007151779.tif 000002
【特許請求の範囲】
【請求項１】
円周方向に回転可能な円筒形のリールドラムと、表面に複数の図柄が表示され、前記リールドラムの円筒部の外周面に巻き付けて装着される帯状のリールテープとを少なくとも備える遊技機用回転リールにおいて、
前記リールドラムには、円筒部のほぼ幅方向にわたって配置され、少なくともその一端部がリールドラムから隔離可能な係止棒と、
前記係止棒の少なくとも一方の端部を挿入可能な固定孔とを設け、
前記リールテープの長さ側の両端部には、前記係止棒を幅方向に挿通可能な空間を形成するループ状の取り付け部を設け、
前記リールテープの取り付け部に前記係止棒が挿入された状態で、係止棒の端部を前記固定孔に固定することにより、前記リールテープを前記リールドラムに装着可能に形成されていることを特徴とする遊技機用回転リール。
【請求項２】
前記リールドラムの外周面の一部又は全部に、圧縮力に対して反発可能な弾性部材を設けたことを特徴とする請求項１記載の遊技機用回転リール。
【請求項３】
前記取り付け部を、リールテープのほぼ幅方向にわたって設け、リールテープの一方の端部及び他方の端部をぞれぞれ異なる係止棒によってリールドラムに固定することを特徴とする請求項１又は２記載の遊技機用回転リール。
【請求項４】
前記取り付け部を、リールテープの一方の端部においては幅方向の中心から側端部までの間に設け、他方の端部においては幅方向の中心から反対側の側端部までの間に設け、
リールテープの一方の端部及び他方の端部を一の係止棒によってリールドラムに固定することを特徴とする請求項１又は２記載の遊技機用回転リール。
【請求項５】
前記係止棒の端部に側方に張り出す突起を設け、
前記固定孔には、前記係止棒の突起が挿通可能な溝部を形成し、
固定孔に挿入した係止棒の端部を軸中心に回転させることにより、係止棒がリールドラムに固定されることを特徴とする請求項１乃至４のいずれか１項に記載の遊技機用回転リール。
【発明の詳細な説明】
【技術分野】
【０００１】
この発明は、遊技機に使用される回転リールに関するものである。
【背景技術】
【０００２】
従来より、スロットマシンなどの遊技機に使用する回転リールは、モータ等の回転駆動軸に連結される円筒形のリールドラムと、このリールドラムの周囲の所定の位置に接着剤などで貼付されると共に表面に複数の図柄が表示されるテープ状のリールテープとを備えている。そして、リールテープを接着剤でリールドラムに貼り付けると、経年変化による接着剤の粘着性の劣化や、リサイクル時における付着した接着剤の除去作業の手間などに鑑み、接着剤を用いずにリールテープを装着可能とする考案がなされている。例えば、リールテープの端部をリールドラムに形成した係止溝に差し込んで固定した回転リールが開示されている（特許文献１参照）。
【特許文献１】特開２００２−２００２５６号公報
【発明の開示】
【発明が解決しようとする課題】
【０００３】
しかし、上記した従来のリールテープ装着方法は、固定の確実性という点においては十分とはいえないものであった。
そこで、各請求項に記載された各発明は、容易に着脱できてリサイクルに適しており、かつリールテープが安定して固定される遊技機用回転リールを提供することを目的とする。
【課題を解決するための手段】
【０００４】
本願発明の特徴点を、図面に示した発明の実施の形態を用いて、以下に説明する。
なお、括弧内の符号は、発明の実施の形態において用いた符号を示し、本願発明の技術的範囲を限定するものではない。
（特徴点）
（請求項１）
請求項１記載の発明は、次の点を特徴とする。
すなわち、請求項１記載の発明は、円周方向に回転可能な円筒形のリールドラム(22)と、表面に複数の図柄が表示され、前記リールドラム(22)の円筒部(24)の外周面に巻き付けて装着される帯状のリールテープ(23)とを少なくとも備える遊技機用回転リールに係る。
【０００５】
そして、本発明においては、前記リールドラム(22)には、円筒部(24)のほぼ幅方向にわたって配置され、少なくともその一端部がリールドラムから隔離可能な係止棒(61)と、前記係止棒(61)の少なくとも一方の端部を挿入可能な固定孔（挿入孔28）とを設けてある。また、前記リールテープ(23)の長さ側の両端部(23a,23b)には、前記係止棒(61)を幅方向に挿通可能な空間を形成するループ状の取り付け部（折り返し部27）を設けてある。そして、前記リールテープ(23)の取り付け部(27)に前記係止棒(61)が挿入された状態で、係止棒(61)の端部を前記固定孔(28)に固定することにより、前記リールテープ(23)を前記リールドラム(22)に装着可能に形成されていることを特徴とする。
【０００６】
本発明に係る遊技機用回転リールは、帯状のリールテープ(23)をリールドラム(22)の周囲に巻き付けるようにして装着して形成されるものである。ここで、リールドラム(22)は、筒状であってもよいし、二つのリング(24A,24B)を連結棒(26)で繋いだものであってもよい。すなわち、リールテープ(23)を巻き付け可能な円筒部(24)を有していればよい。
前記係止棒(61)は、リールドラム(22)に固定されていてもよいし、分離可能に形成されていてもよい。すなわち、係止棒(61)の一端部がリールドラム(22)の側端部に固定れるとともに、他端部がリールドラムから隔離する方向、例えば回転リール(20)の回転中心から遠ざかる方向に移動可能になっている場合や、リールドラム(22)とは別体の係止棒(61)の両端部を固定孔(28)に挿入又は抜出することにより係止棒(61)がリールドラム(22)に対して着脱自在である場合を含む。なお係止(61)は、弾力性を有する部材で形成し、軸方向の圧縮力に対して湾曲可能であるのが好ましい。また、係止棒(61)は複数であっても単数であってもよい。
【０００７】
前記固定孔(28)は、リールドラム(22)の円筒部(24)一方又は双方の縁部近傍に設けられた貫通孔又は凹部を含み、前記係止棒(61)の一端部又は両端部を挿入すると係止棒(61)が円筒部(24)の幅を直角に横切るように固定される位置に設けられている。固定孔(28)は、円筒部(24)の表面に設けられていてもよいし、円筒部(24)の縁部に形成された立設部(241,242)に設けてもよい。係止棒(61)が複数ある場合には、各係止棒(61)に対応して固定孔(28)が設けられる。さらに固定孔(28)は、係止棒(61)を挿入して固定することができるようになっている。固定は、嵌め合わせによる固定であってもよいし、ネジやピンなどの固定手段を用いてもよい。
【０００８】
前記取り付け部(27)は、例えばリールテープ(23)の端部を裏面側に折り曲げて接着した折り返し部とすることができるが、チューブ状の別部材をリールテープ(23)の裏面に貼り付けたり、リールテープ(23)の製造時に端部をループ状に形成したものでもよい。
（作用）
本発明において、回転リール(20)の製造工程、又はリサイクル行程において、リールドラム(22)にリールテープ(23)を装着する場合には、取り付け部(27)に係止棒(61)を挿入したリールテープ(23)をリールドラム(22)に巻き付け、あるいは取り付け部(27)に係止棒(61)を挿入しつつリールテープ(23)をリールドラム(22)に巻き付け、その後係止棒(61)をリールドラム(22)に固定するだけで、リールテープ(23)の装着が完了する。
【０００９】
本発明によれば、リールテープ(23)をリールドラム(22)に装着する際、接着剤を使用しないので、リールドラム(22)やリールテープ(23)が汚れることがない。そして、リールテープ(23)の両端部を固定している係止棒(61)を取り外すことにより、リールテープ(23)を簡単に取り外すことができ、リールドラム(22)だけでなく、リールテープ(23)を再利用することも可能である。
（請求項２）
請求項２記載の発明は、上記した請求項１記載の発明の特徴点に加え、次の点を特徴とする。
【００１０】
すなわち、請求項２記載の発明は、前記リールドラム(22)の外周面の一部又は全部に、圧縮力に対して反発可能な弾性部材(29)を設けたことを特徴とする。
本発明は、円筒部(24)の外周寸法を縮小可能に形成したものである。
ここで、弾性部材(29)は、例えばウレタンやスポンジとすることができ、「外周面の一部又は全部」とは、例えば円筒型のリールドラム(22)の円周面の外側をすべて弾性部材(29)で覆う、もしくはその一部を弾性部材(29)で形成することや、円筒部(24)を形成する二つのリング(24A,24B)を連結する連結棒(26)の表面に弾性部材(29)を貼り付けること、又は連結棒(26)の一部を弾性部材(29)で形成することを含む。
【００１１】
本発明によれば、リールテープ(23)の取り付け時においては、リールドラム(22)に巻き付けられるリールテープ(23)にかかる引っ張り力により弾性部材(29)が圧縮され、円筒部(24)の外周が縮小されるので、取り付け部(27)に挿入されている係止棒(61)をリールドラム(22)に固定する際に、リールテープ(23)とリールドラム(22)の表面との間に隙間を生じさせることができ、作業が容易となる。また、リールテープ(23)の装着後においては、弾性部材(29)の復元力によりリールテープ(23)が内側から圧迫されるので、リールテープ(23)にたるみが生じることがなく、確実に装着することができる。
（請求項３）
請求項３記載の発明は、上記した請求項１又は２記載の発明の特徴点に加え、次の点を特徴とする。
【００１２】
すなわち、請求項３記載の発明は、前記取り付け部(27)を、リールテープ(23)のほぼ幅方向にわたって設け、リールテープ(23)の一方の端部(23a)及び他方の端部(23b)をぞれぞれ異なる係止棒(61)によってリールドラム(22)に固定することを特徴とする。
本発明は、係止棒(61)を二つ設けて、各係止棒(61)によってリールテープ(23)のそれぞれの端部(23a,23b)を固定するものである。なお、「ほぼ幅方向にわたって」とは、取り付け部(27)は、必ずしもリールテープ(23)の一方の側端部(23c)からもう一方の側端部(23d)まで形成されていなくともよく、例えば取り付け部(27)の一方又は双方の側端部側に切り欠き部(27a)が設けられていてもよい。
【００１３】
本発明では、リールテープ(23)の端部を別々にリールドラム(22)に固定することができるので、係止棒(61)を取り付け部(27)に挿入する作業や、リールテープ(23)を円筒部(24)に巻き付ける作業や、係止棒(61)を固定孔(28)に挿入する作業が容易に行える。
（請求項４）
請求項４記載の発明は、上記した請求項１又は２記載の発明の特徴点に加え、次の点を特徴とする。
すなわち、請求項４記載の発明は、前記取り付け部(27)は、リールテープ(23)の一方の端部(23a)においては幅方向の中心から側端部(23c)までの間に設け、他方の端部(23b)においては幅方向の中心から反対側の側端部(23d)までの間に設け、リールテープ(23)の一方の端部(23a)及び他方の端部(23b)を一の係止棒(61)によってリールドラム(22)に固定することを特徴とする。
【００１４】
本発明は、単一の係止棒(61)でリールテープ(23)の両端部を固定するようにしたものである。本発明においては、リング状にしたリールテープ(23)の端部同士を付き合わせたときに、一方の端部(23a)の取り付け部(27)と他方の端部(23b)の取り付け部(27)とが噛み合うように位置し、縦列する二つの取り付け部(27)を貫通するように係止棒(61)が挿入されるものである。
本発明では、部品点数の削減に伴うリールの軽量化を図ることができ、係止棒(61)のリールドラム(22)への固定（固定孔(28)への挿入）の手間が一本分ですむという利点がある。
【００１５】
（請求項５）
請求項５記載の発明は、上記した請求項１乃至４のいずれか１項に記載の発明の特徴点に加え、次の点を特徴とする。
すなわち、請求項５記載の発明は、前記係止棒(61)の端部に側方に張り出す突起（係止突起68）を設け、前記固定孔(28)には、前記係止棒(61)の突起(68)が挿通可能な溝部（貫通溝28c）を形成し、固定孔(28)に挿入した係止棒(61)の端部を軸中心に回転させることにより、係止棒(61)がリールドラム(22)に固定されることを特徴とする。
本発明は、係止棒(61)のリールドラム(22)への固定方法を限定したものである。
【００１６】
本発明によれば、突起(68)が固定孔(28)を貫通したところで係止棒(61)を回転させることにより、突起(68)が固定孔(28)の挿入側と反対側の縁部に係止され、係止棒(61)を確実かつ簡易にリールドラム(22)に固定することができる。
【発明の効果】
【００１７】
請求項１乃至５記載の発明によれば、容易に着脱できてリサイクルに適しており、かつリールテープが安定して固定される遊技機用回転リールを提供することができる。
【発明を実施するための最良の形態】
【００１８】
本発明の好適な実施の形態を、遊技機としてスロットマシンを例に、第一の実施の形態乃至第三の実施の形態に分けて、図面に基づき説明する。
（第一の実施の形態）
（図面の説明）
図１乃至図１２は、本発明の第一の実施の形態を示すものである。
図１は前扉を外したスロットマシンＳの斜視図、図２は回転リール20の分解斜視図、図３はリールテープ23の斜視図、図４及び図５はリールテープ係止部60の斜視図、図６はリールテープ23の取り付け手順を示す斜視図、図７及び図８は回転リール20の部分断面図である。また、図９乃至図１２は、係止棒61の他の例を示す図である。
【００１９】
（スロットマシンＳ）
本実施の形態におけるスロットマシンＳは、図１に示すように、大きく分けて、正面側に開口部11を有する筐体１、筐体１内部に設けられるリールユニット２、筐体１の開口部11を開閉可能に塞ぐ前扉３とから構成されており、さらにこの前扉３は、筐体１の開口上部13を開閉可能に塞ぐ上扉30、筐体１の開口下部14を開閉可能に塞ぐ上扉30とから構成されている。
筐体１は、底板15及び側板16及び天板及び裏板からなる正面側に開口する箱であり、高さ方向略中央部には、二つの側板16の間に水平方向に中板12が設けられている。この中板12の下面には、電源ユニット４が固定されているとともに、底板15にはホッパーユニット５が載置されている。また、中板12の上面には、リールユニット２が載置固定されているとともに、リールユニット２の上方には、スロットマシンＳの作動を制御するための制御装置６が収納されている。そして、正面左側の側板16には、前扉３を係合させ、回転自在に支持するためのヒンジ50が、上下方向に間隔をおいて二つずつ設けられて設けられている。
【００２０】
ここで、制御装置６は、ＣＰＵを中心に構成され、ＲＯＭ、ＲＡＭ、Ｉ／Ｏ等を備えた主基板を基板ケースに収納したものであり、スロットマシンＳの作動の制御を行うものである。なお、遊技を司るための遊技制御装置と、遊技に付随する演出を司るための演出制御装置を、別々に設けてもよい。
上扉30は、筐体１の側板16に回転自在かつロック可能に形成されている板状の扉であり、略中央部に回転リール20の図柄を正面側から見ることができる図柄表示窓31を有し、図柄表示窓31の周囲には、飾り部33が形成されている。飾り部33は、ランプなどの電飾としてもよい。そして、図柄表示窓31の下方には、７セグメント表示器や液晶表示装置を用いて、遊技に関する数字その他を表示するための表示部32が設けられている。なお、特に図示しないが、上扉30の裏面には、前記ヒンジ50に係合可能な上扉係合部が上下方向に間隔をおいて二つ設けられており、上扉係合部の対向側には、ロック機構が設けられている。そして、上扉30を閉めロックすることにより、筐体１の開口上部13を密閉することができるものである。
【００２１】
下扉40は、筐体１の開口下部14を塞ぐための、上扉30よりも幅厚の扉であり、筐体１の側板16に回転自在かつロック可能に形成されているものである。下扉40の上部は、スロットマシンを作動させるための操作部41となっており、下扉40の上面は、閉扉時においては、上扉30よりも前側に突出するようになっている。ここで、前記操作部41としては、図１に示すように、遊技メダルを投入するためのメダル投入口42、貯留メダル数を減じてメダル投入に代えるためのベットスイッチ45、貯留した投入メダルを払い出すための精算スイッチ46、回転リール20の回転を開始させるためのスタートスイッチ47、回転リール20の回転を停止させるためのストップスイッチ48が設けられている。また、下扉40の下部には払い出されたメダルを溜めておくためのメダル受け皿43が形成されている。下扉40の上部右端には、鍵穴44が設けられており、この穴に所定の鍵を差し込んで回すと、下扉40のロックが解除されるものである。そして、下扉40が解錠されることにより、上扉30も解放可能に形成されている。
【００２２】
さらに、特に図示しないが、下扉40の裏面側には、前記メダル投入口42から投入されたメダルを誘導しながらメダルの正偽を判断するためのメダルセレクターが設けられている。そして、特に図示しないが、下扉40の裏面には、ヒンジ50と係合可能な下扉係合部が上下方向に間隔をおいて二つ設けられており、下扉係合部の対向側には、ロック機構が設けられている。
スロットマシンＳは、メダル投入口42からメダルを投入することにより遊技が開始可能となり、スタートスイッチ47の押下により３個の回転リール20が一斉に回転開始する。また、制御装置６ではスタートスイッチ47の操作を契機に当選判定の抽選が行われ、当選の有無が決定される。回転リール20の回転中にストップスイッチ48を押圧すると、対応する回転リール20の回転が停止する。この際、制御装置６により、回転リール20の停止制御が行われる。すなわち、当選判定の抽選結果が所定の当選役に当選している場合には、当該当選図柄が極力入賞ライン上に停止するように、当選判定の抽選結果がはずれの場合には、いかなる当選図柄も入賞ライン上に揃わないように、回転リール20が停止するまでの時間を遅らせる制御を行う。そして、全ての回転リール20が停止したときに、当選に係る図柄が所定の入賞ライン上に揃って停止したときには入賞となり、ホッパーユニット５からメダルが払い出されたり、ボーナスゲームなどの有利遊技への移行が行われる。
【００２３】
（リールユニット２）
次に、リールユニット２について説明する。
リールユニット２は、図１に示すように、枠体21と、特に図示しないが枠体21の仕切り板に固定される３個のステッピングモータと、ステッピングモータに軸着される３個の回転リール20を有している。そして、リールユニット２は、筐体１の中板12の上に乗せ、開口上部13内部に収納固定されるものである。
（回転リール20）
回転リール20は、図２に示すように、円筒形のリールドラム22に、帯状のリールテープ23を巻き付け、リールテープ係止部60で係止して形成したものである。そして、ステッピングモータの駆動軸の回転により円周方向に回転可能に形成されている。
【００２４】
（リールドラム22）
リールドラム22は、図２に示すように、ステッピングモータの駆動軸に固定される固定部25と、リールテープ23を巻き付ける円筒部24と、固定部25から円筒部24に向けて放射状に延接されたスポーク25Aを備えている。
円筒部24は、二つのリング24A,24Bを連結棒26で繋いだものである。そして、連結棒26の筒外側には、スポンジなどの弾性部材29が貼付されている（図８(Ａ)参照）。これは、リールドラム22にリールテープ23を巻き付ける際に、弾性部材29を圧縮させることで円筒部24の外周を縮小させ、リールテープ23を巻き付けやすくするとともに、リールテープ23の装着後は、リールテープ23を筒内側から押し出すようにして、リールテープ23がたるまないようにするめたのものである。
【００２５】
さらに、一の連結棒26Aには、弾性部材29が貼付されていない代わりに、当該連結棒26Aの位置には、リールテープ係止部60が設けられている。
（リールテープ23）
リールテープ23は、プラスチックフィルムなどに印刷等により複数の図柄（図示せず）を表示した帯状のテープである。そして、リールテープ23の長さ側の両端部には、折り返し部27がほぼ幅方向にわたって形成されている。折り返し部27は、図３に示すように、幅側の両側端部に切欠部27aが形成されたリールテープ23の端部を、テープ裏面側に折り返しループ状にして接着したものであり、リールテープ23の裏面と折り返し部27の裏面との間にはリールテープ23の一方の側端部23cから他方の側端部23dに貫通する通路が形成されている。
【００２６】
このリールテープ23は、前記折り返し部27により形成された通路に、以下に述べるリールテープ係止部60の係止棒61を差し込むことにより、リールドラム22に固定されるようになっている。
（リールテープ係止部60）
リールテープ係止部60は、図４及び図５に示すように、リング24Aに設けられた二つの固定部62のそれぞれに、係止棒61を揺動自在に取り付けたものである。そして、リング24Bの固定部62の対向側には、係止棒61の先端部66を挿入可能な挿入孔28が二つ形成されており、リールテープ23の一方の端部23aの折り返し部27に一方の係止棒61を貫通させ、他方の端部23bの折り返し部27にもう一方の係止棒61を貫通させて、二つの係止棒61の先端部66をそれぞれ挿入孔28に挿入することにより、リールテープ23の端部をリールドラム22に固定するようになっているものである。
【００２７】
ここで、前記挿入孔28は、図５（Ａ）に示すように、表面側の孔周囲に面取り部28aが形成されているとともに、リング24Bの表面側から外側（反リング24A側）に向かって斜めに形成されている（図７参照）。これは、係止棒61を挿入しやすくするためのものである。
また、前記係止棒61は、圧力が加えられると湾曲可能な弾性を有する素材を用いて形成されているとともに、図５（Ｂ）に示すように、付け根側（先端部66の反対側）には固定部62に取り付けるための、板状の差込片61Aが設けられている。なお、係止棒61の少なくとも先端部66を、可塑性を有する部材としたり、針金にゴム等をコーティングしたものなど、フレキシブルに変形可能に形成すると、先端部66を挿入孔28に挿入する際に入れやすく、挿入後にリング24Bに係止させる際には抜けにくくすることができ、好適である。
【００２８】
固定部62は、図５（Ｂ）に示すように、前記差込片61Aを差込可能な差込溝62Aと、差込溝62Aの対向側に形成された嵌合孔62Bを有するブロック状の部材であり、リング24Aの側面にねじ込み又は嵌着により取り付けた突起65を前記嵌合孔62Bに嵌合させることにより、リング24Aに固着される。なお、固定部62はリング24Aと一体形成してもよい。
そして、固定部62の差込溝62Aに係止棒61の差込片61Aを差し込み、ピン63で固定することにより、係止棒61は、固定部62を介してリング24Aに揺動自在に取り付けられる。さらに、ピン63にはコイルバネ64を介在させてあり、係止棒61は常時、リールドラム22の筒外方向に付勢されるようになっている。従って、リールテープ23を取り付けていない状態では、図２に示すように、係止棒61がリールドラム22の外側に向かって立ち上がるようになっている。
【００２９】
（リールテープ23の着脱）
上記構成を有する回転リール20におけるリールテープ23の着脱について説明する。
まず、リールテープ23をリールドラム24に装着する場合には、図６（Ａ）に示すように、図柄面を外側にしたリールテープ23の一方の端部23aの折り返し部27に、係止棒61のうちの一つを差し込んで、リールテープ23の一端部を係止棒61に取り付ける。係止棒61は筒外側に付勢されているので、折り返し部27に挿通させる作業を容易に行うことができる。
次に、リールテープ23の一方の側端部23cをリング24Aに当接させ、係止棒61の先端部66を湾曲させて挿入孔28に挿入させる。挿入孔28の周囲には面取り部28aが形成されているとともに、挿入孔28が係止棒61の差し込み方向に傾斜しているので、先端部66を挿入させる作業を容易に行うことができる。先端部66が挿入孔28を貫通したら、筒内側からこれを引っ張り、係止棒61をリング24Bに係止する。折り返し部27には切欠部27aが形成されているので、折り返し部27が固定部62や係止棒61と干渉することがない（図７参照）。また、挿入孔28は傾斜しているので、係止棒61がリールドラム22の筒外側に付勢されていても、先端部66は挿入孔28の上側面に押しつけられ、先端部66が挿入孔28から抜け出てしまうことはない。このようにして、リールテープ23の一端部がリールドラム22に固定される。
【００３０】
続いて、リールテープ23を円筒部24に巻き付けていく。このとき、ややきつめに巻き付けることにより、連結棒26の表面に貼付された弾性部材29が押圧されて圧縮される（図８(Ｂ)参照）。このため、円筒部24の外周が縮小し、リールテープ23のもう一方の端部23bをリールテープ係止部60の位置まで巻いてきたときには、リールテープ23の残りの長さには、円筒部24の残りの部分を覆うよりも若干の余裕が生まれる。そこで、図６（Ｂ）に示すように、リールテープ23のもう一方の端部23bの折り返し部27にもう一方の係止棒61を差し込み、上記と同様に先端部66を挿入孔28に挿入する。
こうして、図６（Ｃ）に示すように、リールテープ係止部60の位置でリールテープ23の一方の端部23aともう一方の端部23bが隙間無く当接し、リールテープ23の両端部が円筒部24に固定されて回転リール20が完成する。リールテープ23は係止棒61及び固定部62を覆っているとともに、先端部66は挿入孔28からリールドラム22の内側に向かって突出しているので（図７参照）、リールテープ係止部60が外部に露出することはなく、外観意匠上も優れている。また、連結棒26に設けた弾性部材29の反発力により、リールテープ23が筒外側に押し広げられるので、リールテープ23にたるみが生じることがなく、回転リール20の回転中にリールテープ23がバタつくこともない。
【００３１】
一方、リールテープ23をリールドラム22から取り外す場合には、リング24Bの筒内側から挿入孔28に差し込まれている係止棒61の先端部66を、ボールペンの先など先の尖ったもので筒外側に向けて押し出すようにすれば、係止棒61が撓んで先端部66が挿入孔28から抜け出る。係止棒61はコイルバネ64の作用で外側に移動しようとするのに加え、係止棒61を24から離す方向に持ち上げれば、リールテープ23にかかる張力によって連結棒26に貼付された弾性部材29が圧縮される。これによりリールテープ23と円筒部24との間に隙間を生じさせることができるので、リールテープ23をリング24B側に移動させて折り返し部27から係止棒61を引き抜き、リールテープ23をリールテープ係止部60から取り外せばよい。
【００３２】
なお、上記したように、係止棒61の先端部66を挿入孔28に圧入することにより係止棒61が抜け出ないように固定するものであってもよいが、挿入孔28を貫通した先端部66をピンやネジで固定するようにしてもよい。
（係止棒61の他の例）
ところで、係止棒61は、図９に示すような形態にしてもよい。これは、挿入孔28をリング24Bの側面に設けるとともに、係止棒61の先端部66を伸縮自在に形成したものである。この場合には、リング24A,24Bを断面略Ｌ字型に形成し、合対向しているリング24Aの立設部241とリング24Bの立設部242の間にリールテープ23が挟まれるようにする。さらに、リング24Bの立設部242の内側には、図１０に示すように、立設部242の上面部から挿入孔28に至る誘導溝28bを形成する。一方、係止棒61の先端部66は、図１１に示すように、係止棒61の内部に設けられたバネにより常時突出する方向に付勢されているとともに、押圧力により係止棒61内部に没入可能に形成されている。
【００３３】
そして、リールテープ23を固定する場合には、まずリング状にしたリールテープ23の両端部の折り返し部27に係止棒61を挿入し、リールテープ23をリング24A,24Bの間に位置させる。それから、係止棒61の先端部66を指などで押し込んで没入させたまま、リールテープ23の端部を引き寄せつつ係止棒61を近接させ、先端部66をリング24Bの誘導溝28bに係止させる。そのまま先端部66を表面側から押圧すれば、先端部66は誘導溝28bに誘導され、挿入孔28まで移動した後挿入孔28に突出し、図１０に示すように、挿入孔28を貫通する。挿入孔28にキャップ67を嵌め込むことにより、先端部66が外部に露出しない。なお、挿入孔28を、立設部242の外側面が塞がれた凹部としてもよい。
【００３４】
リールテープ23を取り外す場合には、キャップ67を取り外し、先端部66を押し込んで挿入孔28との係合を解除し、折り返し部27から係止棒61を引き抜いてリールテープ23をリールテープ係止部60から取り外す。
なお、図４に示したリールテープ係止部60においても、上述したように先端部66を出没自在に形成してもよいものである。このように形成すれば、先端部66を挿入孔28に挿入する際、係止棒61を撓ませなくてもよいので、係止棒61を貫通させてあるリールテープ23の折り返し部27が破損するおそれもない。
さらに、係止棒61の他の例として、先端部66を図１２に示すような構成とすることもできる。これは、先端部66を、接合部61Bにおいて軸中心に回転自在となるよう取り付け、さらに側面には外側に向かって張り出す二つの係止突起68を設ける。一方、リング24Bの挿入孔28には、先端部66を挿入孔28に差し込んだとき前記係止突起68と合致する位置に、係止突起68が通過可能な貫通溝28cが形成されている。
【００３５】
そして、係止棒61を円筒部24に固定する場合には、係止突起68と貫通溝28cの位置を合わせて先端部66を挿入孔28に貫通させ、係止突起68が貫通孔28を通過したところで、先端部66を回転させれば、係止突起68が貫通孔28の裏面（筒内）側の縁部に係止され、係止棒61が固定される。
なお、図１２の例においても、図１１に示すように先端部66を出没自在に形成してもよい。ただしこの場合は、バネにより先端部66が没入する方向に付勢されるように形成する。こうすることにより、係止突起68が貫通孔28を通過したところで先端部66を指で引っ張って回転させ、指を離せば先端部66はバネにより引っ張られて没入し、係止突起68が貫通孔28の縁部に係止される。すなわち、先端部66の係止作業を容易に行えるようになる。
【００３６】
このように、本実施の形態によれば、リールテープ23をリールドラム22に装着する際、折り返し部27に係止棒61を通してリールテープ23をリールドラム22に巻き付け、係止棒61で端部を固定するだけでよいので、作業時間を大幅に短縮することができる。また、連結棒26に弾性部材29を貼付したことにより、円筒部24の外周をリールテープ23の張力により縮小できるので、リールテープ23の装着が容易であるとともに、リールテープ23の装着後は、弾性部材29の反発力によりテープが内側から押し返され、たるみを生じさせること無くリールテープ23を確実に装着することができる。そして、製造工程及び再生産の行程をより効率的なものにすることができる。
【００３７】
また、リールテープ23の装着に、接着剤を使用しないので、リールテープ23やリールドラム22が汚損されることがなく、リールドラム22や取り外したリールテープ23をそのまま再利用できるので、リサイクル性に優れ、経費削減にも役立つものである。
（第二の実施の形態）
（図面の説明）
図１３乃至図１５は、本発明の第二の実施の形態を示すものであり、図１３はリールテープ23の斜視図、図１４はリールテープ係止部60の斜視図、図１５はリールテープ23の取り付け手順を示す斜視図である。
【００３８】
第二の実施の形態は、単一の係止棒61を用いて、リールテープ23の端部を固定するようにしたものである。なお、本実施の形態におけるスロットマシンＳの構成は、第一の実施の形態と同様であるので説明を省略し、本実施の形態の特徴部分のみを述べる。
（リールテープ23）
第二の実施の形態におけるリールテープ23は、図１３に示すように、リールテープ23の長さ側の両端部23a,23bには、幅寸法の略半分の長さの折り返し部27が形成されている。すなわち、折り返し部27は、リールテープ23の一方の端部23aにおいては、幅方向の中心から側端部23cまでの間に設けられ、他方の端部23bにおいては、幅方向の中心から反対側の側端部23dまでの間に設けられている。そして、リールテープ23をリング状にして一方の端部23aと他方の端部23bを付き合わせたときに、互いに噛み合う位置となるように形成されている（図１５(Ｃ)参照）。
【００３９】
また、第一の実施の形態と同様に、側端部には切欠部27aが設けられている。そして、端部23a,23bを付き合わせると、二つの折り返し部27,27によって、リールテープ23の一方の側端部23cから反対側の側端部23dに貫通する、係止棒61を差し込むための通路が形成されるようになっている。
（リールテープ係止部60）
リールテープ係止部60は、図１４に示すように、リング24Aに設けられた固定部62に、係止棒61を揺動自在に取り付けたものである。そして、リング24Bの固定部62の対向側には、係止棒61の先端部66を挿入可能な挿入孔28が一つ形成されており、リング状にして端部23a,23bを付き合わせたリールテープ23の折り返し部27に係止棒61を貫通させて、係止棒61の先端部66を挿入孔28に挿入することにより、リールテープ23の端部をリールドラム22に固定するようになっているものである。
【００４０】
ここで、挿入孔28、係止棒61及び固定部62の構成は、第一の実施の形態と同様である。係止棒61の先端部66は、図１１に示すように出没自在に形成してもよいし、図１２に示すように回転自在かつ係止突起68を有するものとしてもよい。
（リールテープ23の着脱）
第二の実施の形態におけるリールテープ23の着脱について説明する。
まず、リールテープ23をリールドラム24に装着する場合には、図１５（Ａ）に示すように、図柄面を外側にしたリールテープ23の一方の端部23aの折り返し部27に、係止棒61を差し込んで、リールテープ23の一端部を係止棒61に取り付ける。なお、端部23aの折り返し部27は、リールテープ23の図柄面を外側にしたときに側端部23c側に位置している。つまり、リールテープ23の一端部を係止棒61に取り付けたとき、折り返し部27がリング24A側になっている。このとき、係止棒61のリング24A側の半分は、折り返し部27により覆われ、残りの半分は露出している。
【００４１】
次に、リールテープ23の側端部23cをリング24Aに当接させ、リールテープ23を円筒部24に巻き付けていく。半分ほど巻き付けたところで、リールテープ23をリング24B側にずらしながらさらに巻き付け、図１５（Ｂ）に示すように、もう一方の端部23bの折り返し部27に係止棒61を挿入させる。端部23bの折り返し部27は、リング24B側に位置しているので、折り返し部27に係止棒61を挿入させたままリールテープ23をリング24A側に移動させると、図１５（Ｃ）に示すように、二つの折り返し部27,27の側端部が合致して、端部23aの折り返し部27と端部23bが当接し、端部23bの返し部27と端部23aが当接する（図１５(Ｃ)参照）。
【００４２】
それから、係止棒61の先端部66を挿入孔28に挿入すれば、図１５（Ｃ）に示すようにリールテープ23の両端部が円筒部24に固定される。このとき、リールテープ係止部60の位置には段違いの接合部が表れるが、係止棒61や固定部62はリールテープ23に覆われており、外部には露出しない。
一方、リールテープ23をリールドラム22から取り外す場合には、第一の実施の形態と同様に係止棒61の先端部66を押して挿入孔28から外し、まず端部23bの折り返し部27を、次に端部23aの折り返し部27を係止棒61から引き抜いて、リールテープ23をリールテープ係止部60から取り外せばよい。
【００４３】
第二の実施の形態によれば、第一の実施の形態による効果に加え、係止棒61を挿入孔28に止める手間が一度で済むので、より効率的にリールテープ23の装着作業を行うことができる。
（第三の実施の形態）
図１６は、本発明の第三の実施の形態を示すものであり、リールテープ係止部60の断面図を示すものである。
第三の実施の形態は、係止棒61をリールドラム22から着脱自在に形成したものである。なお、スロットマシンＳ及び回転リール20の構成は第一及び第二の実施の形態と同様であるので、説明は省略する。
【００４４】
第三の実施の形態に係るリールテープ係止部60は、係止棒61と、リング24Aに設けられた挿入孔28Aと、リング24Bに設けられた挿入孔28Bとから構成されている。係止棒61は、全体が折れ曲がり自在な素材で形成され、両端部を挿入孔28A,28Bに挿入可能になっている。なお、係止棒61及び挿入孔28は、第一の実施の形態と同様に複数設けてもよいし、第二の実施の形態と同様に単数であってもよい。またリールテープ23の構成は、第一の実施の形態又は第二の実施の形態と同様である。
本実施の形態において、リールテープ23をリールドラム22に装着するときには、係止棒61を二つ設けた場合においては、まずリールテープ23の両端部の折り返し部27に係止棒61を挿入しておき、リールテープ23の一方の端部を、係止棒61の両端部を挿入孔28A,28Bに挿入してリールドラム22に固定し、リールテープ23を円筒部24に巻き付けてから、リールテープ23のもう一方の端部を同様にして円筒部24に固定する。
【００４５】
また、係止棒61を一つ設けた場合においては、リールテープ23の一方の端部の折り返し部27に係止棒61を挿入し、係止棒61の一方の端部挿入孔28A又は挿入孔28Bに挿入してから、リールテープ23を円筒部24に巻き付ける。そして、リールテープ23のもう一方の端部の折り返し部27に係止棒61を挿入し、係止棒61のもう一方の端部を挿入孔28B又は挿入孔28Aに挿入することにより、リールテープ23を円筒部24に固定する。また、特に図示しないが、係止棒61の両端部を挿入孔28に貫通させた後、抜けないようにネジやピンなどで固定してもよい。
本実施の形態によれば、係止棒61をリールドラム22から分離させた状態でリールテープ23の折り返し部27に挿入できるので、装着作業がより容易となる。
【００４６】
ところで、上記第一乃至第三の実施の形態においては、リールテープ23の「取り付け部」として折り返し部27を設けてあるが、取り付け部としては、このような形態に限られず、例えばリールテープ23の製造時に端部をループ状に形成したり、チューブ状の別部材をリールテープ23の裏面に接着したものとしてもよい。
また、リールドラム22に設ける「固定孔」は、上記実施の形態における挿入孔28のような貫通孔に限られず、凹部であってもよい。要は、係止棒61の端部を固定できればよい。
さらに、上記実施の形態においては、リールドラム22の円筒部24を、リング24A,24Bとこれらをつなぐ連結棒26とから構成してあったが、円筒部24の形態はこのようなものに限られず、リールテープ23を巻き付け可能なもの、例えば筒体であってもよい。この場合であっても、円筒部24の円筒部24の外周面の一部又は全部に、弾性部材29を貼付することにより、上記実施の形態と同様の作用効果を得ることができる。
【００４７】
なお、本発明は、スロットマシン以外の遊技機、例えば、遊技メダルの代わりにパチンコ球を用いてスロットマシンと同様の遊技を行わせるパロット遊技機に利用することができる。あるいは、パチンコ遊技機の演出用の回転リールに利用することもできる。
【図面の簡単な説明】
【００４８】
【図１】本発明の第一の実施の形態であって、前扉をはずしたスロットマシンの斜視図である。
【図２】本発明の第一の実施の形態であって、回転リールの分解斜視図である。
【図３】本発明の第一の実施の形態であって、リールテープ端部の拡大斜視図である。
【図４】本発明の第一の実施の形態であって、リールテープ係止部の斜視図である。
【図５】本発明の第一の実施の形態であって、リールテープ係止部の拡大斜視図である。
【図６】本発明の第一の実施の形態であって、リールテープの取り付け手順を示す斜視図である。
【図７】本発明の第一の実施の形態であって、リールテープ係止部の縦断面図である。
【図８】本発明の第一の実施の形態であって、連結棒の拡大断面図である。
【図９】本発明の第一の実施の形態であって、リールテープ係止部の他の例を示す斜視図である。
【図１０】本発明の第一の実施の形態であって、リールテープ係止部の他の例を示す縦断面図である。
【図１１】本発明の第一の実施の形態であって、係止棒の他の例を示す断面図である。
【図１２】本発明の第一の実施の形態であって、係止棒の他の例を示す斜視図である。
【図１３】本発明の第二の実施の形態であって、リールテープ端部の拡大斜視図である。
【図１４】本発明の第二の実施の形態であって、リールテープ係止部の斜視図である。
【図１５】本発明の第二の実施の形態であって、リールテープの取り付け手順を示す斜視図である。
【図１６】本発明の第三の実施の形態であって、リールテープ係止部の縦断面図である。
【符号の説明】
【００４９】
Ｓ  スロットマシン                  １  筐体
２  リールユニット                  ３  前扉
４  電源ユニット                    ５  ホッパーユニット
６  制御装置
11  開口部                          12  中板
13  開口上部                        14  開口下部
15  底板                            16  側板
20  回転リール                      21  枠体
22  リールドラム                    23  リールテープ
24  円筒部                         24A  リング
24B  リング                          25  固定部
25A  スポーク                        26  連結棒
27  折り返し部                     27a  切欠部
28  挿入孔                         28a  面取り部
28b  誘導溝                         28c  貫通溝
29  弾性部材
30  上扉                            31  図柄表示窓
32  表示部                          33  飾り部
40  下扉                            41  操作部
42  メダル投入口                    43  メダル受け皿
44  鍵穴                            45  ベットスイッチ
46  精算スイッチ                    47  スタートスイッチ
48  ストップスイッチ                50  ヒンジ
60  リールテープ係止部              61  係止棒
61A  差込片                         61B  接合部
62  固定部                         62A  差込溝
62B  嵌合孔                          63  ピン
64  コイルバネ                      65  突起
66  先端部                          67  キャップ
68  係止突起
【図１】
2007151779.tif 000003
【図２】
2007151779.tif 000004
【図３】
2007151779.tif 000005
【図４】
2007151779.tif 000006
【図５】
2007151779.tif 000007
【図６】
2007151779.tif 000008
【図７】
2007151779.tif 000009
【図８】
2007151779.tif 000010
【図９】
2007151779.tif 000011
【図１０】
2007151779.tif 000012
【図１１】
2007151779.tif 000013
【図１２】
2007151779.tif 000014
【図１３】
2007151779.tif 000015
【図１４】
2007151779.tif 000016
【図１５】
2007151779.tif 000017
【図１６】
2007151779.tif 000018